(57)【要約】【課題】負荷をできるだけ掛けることなく極めて簡単に中皿を取り出せるリフィル容器を提供する。【解決手段】化粧料が充填された中皿２の側面を取り囲む側壁部２０と、化粧料が露出した露出面３を覆う蓋部１０とによって中皿２を収納する収納部４０を構成したリフィル容器１において、前記蓋部１０に前記露出面３に向けて凸となる折り目部１４を、当該蓋部１０を横断する方向に備えると共に、前記折り目部１４の両端近くの前記側壁部２０に、前記蓋部１０を前記折り目部１４にて折り曲げ可能にする切れ込み部３１を形成する。【選択図】図１
2010273864.tif 000002
【特許請求の範囲】
【請求項１】
化粧料が充填された中皿の側面を取り囲む側壁部と、化粧料が露出した露出面を覆う蓋部とによって中皿を収納する収納部が構成されたリフィル容器であって、
前記蓋部に前記露出面に向けて凸となる折り目部が当該蓋部を横切る方向に備えられると共に、前記折り目部の両端近くの前記側壁部に前記蓋部を前記折り目部にて折り曲げ可能にする切れ込み部が備えられたことを特徴とするリフィル容器。
【請求項２】
前記側壁部の外周に、当該側壁部と一体となって断面略Ｕ字状を形成する緩衝壁部が前記側壁部の下縁から上方に向けて備えられ、前記折り目部の両端近くの当該緩衝壁部に前記蓋部を前記折り目部にて折り曲げ可能にする切れ込み部が備えられたことを特徴とする請求項１に記載のリフィル容器。
【請求項３】
前記折り目部が前記蓋部の長手方向のほぼ中央近傍に設けられたことを特徴とする請求項１又は２に記載のリフィル容器。
【請求項４】
前記折り目部の配置方向と平行となった緩衝壁部に一対の指当て部が設けられ、当該指当て部が前記折り目部の配置方向とほぼ直交する方向に指を押し当てることができる窪みからなることを特徴とする請求項２又は３に記載のリフィル容器。
【請求項５】
前記側壁部の下端縁若しくは前記緩衝壁部の上端縁に一対の指当て部が備えられ、当該指当て部が前記折り目部の配置方向とほぼ直交する方向に延設された板状部材からなることを特徴とする請求項１〜３の何れか１項に記載のリフィル容器。
【請求項６】
前記蓋部の両端部近傍に一対の指当て部が設けられ、当該指当て部は前記折り目部の配置方向とほぼ直交する方向に指を押し当てることができる突起物からなることを特徴とする請求項１〜３の何れか１項に記載のリフィル容器。
【請求項７】
前記折り目部が断面略Ｕ字形状をした溝からなることを特徴とする請求項１〜６の何れか１項に記載のリフィル容器。
【請求項８】
前記蓋部の端から当該蓋部のほぼ中央に向けて傾斜する側面視で略三角形状の断面を有する凸状部からなる一対の指当て部が対向して設けられ、前記折り目部が前記指当て部によって形成された谷からなることを特徴とする請求項１〜３の何れか１項に記載のリフィル容器。
【請求項９】
前記谷からなる折り目部の両側に断面略Ｕ字形状をした溝からなる折り目部を有することを特徴とする請求項８に記載のリフィル容器。
【発明の詳細な説明】
【技術分野】
【０００１】
本発明はリフィル容器、具体的には化粧料が充填された中皿を収納し保護するリフィル容器に関する。
【背景技術】
【０００２】
ファンデーション等の粉末化粧料用のコンパクト容器は、近年、化粧料が充填されたリフィルと呼ばれる中皿を内部に装着し、中皿のみを交換可能な構成となっている。このため、化粧料が充填された中皿のみが販売されることが多い。このとき、運搬中や販売展示中に、充填された化粧料の飛散を防ぐなどの理由により、中皿を収納するリフィル容器が用いられる。
【０００３】
このようなリフィル容器が、例えば、特開２００２−１１９３２６号公報（特許文献１）や特開２００３−２１２２５５号公報（特許文献２）、特開２００３−２６５２２４号公報（特許文献３）、特開２００６−２１８０３２号公報（特許文献４）、特開２００４−２７５６４０号公報（特許文献５）に開示されている。
【０００４】
これらの公報に開示されたリフィル容器はそれぞれ、化粧料が露出した露出面を覆う構成となっており、前記露出面を覆う蓋部と中皿の周囲を囲む側壁部を備え、側壁部と蓋部によって中皿を収納する収納部が構成されている。この収納部は、輸送中や展示販売時などにおいてリフィル容器から中皿が離脱しないように、中皿の外周を強固に保持している。そして、中皿からの離脱の防止を確実なものにするため、収納部側に飛び出た係止部をリフィル容器の側壁部に備えている。この係止部が中皿の底面を保持する結果、中皿がリフィル容器から容易に離脱しない。さらに、離脱を確実に防止するために、例えば特許文献１や特許文献２には、中皿の底面又は側面に設けた凹部と収納部側に飛び出た係止部を係合させるようにしたリフィル容器も開示されている。
【０００５】
一方、リフィル容器が強固に中皿を保持しすぎると、使用時に中皿を取り外すことが困難になる。そこで、取り出しを容易にするために、特許文献１〜４のリフィル容器では、中皿の両側を指で挟んで取り外せるように、側壁部の一部が切り欠かれている。また、特許文献５に記載のリフィル容器では、側壁部にこれを切り開くための切り離し線が設けられている。
【先行技術文献】
【特許文献】
【０００６】
【特許文献１】特開２００２−１１９３２６号公報
【特許文献２】特開２００３−２１２２５５号公報
【特許文献３】特開２００３−２６５２２４号公報
【特許文献４】特開２００４−２７５６４０号公報
【特許文献５】特開２００６−２１８０３２号公報
【発明の概要】
【発明が解決しようとする課題】
【０００７】
しかしながら、特許文献１〜４に開示されたリフィル容器は、指で中皿の両側を掴み、半ば強制的に取り出す構造であるので、場合によっては取り出しがうまくできず、取り外した中皿を落としてしまうということがある。そうすると、中皿に充填された化粧料に割れ（ひび）が入ったり、化粧料が飛び散り、ひどい場合には使用ができないという事態を生じていた。また、取り出し時に中皿の側面に大きな負荷が掛かる。この結果、中皿の内側の壁面に沿って出来た化粧料の立ち上がり部分（いわゆるバリと呼ばれる部分）が崩れやすくなり、化粧料の露出面にバリの崩れによる化粧料が粉体となって飛び散り、良好な塗布を妨げたり、使用者の被服や周辺箇所を汚すことにもなっていた。さらに、通常の使用に問題がなくても、コンパクトを机上に軽く落とす程度の小さな衝撃によっても、バリが崩れるだけでなく、化粧料の露出面に割れや欠けを生じやすくなる傾向にある。
【０００８】
また、特許文献５に開示されたリフィル容器では、切り離し線で側壁部を切り開く必要があり、取り外しがやや面倒なものであった。
【０００９】
本発明は上記背景技術に鑑みてなされたものであって、本発明の目的は負荷をできるだけ掛けることなく極めて簡単に中皿を取り出せるリフィル容器を提供することにある。
【課題を解決するための手段】
【００１０】
そこで、本発明においては、中皿を持たずにリフィル容器から中皿を取り出すことを可能にすべく、リフィル容器の蓋部に、化粧料が露出された露出面に向けて凸となる折り目部を、当該蓋部を横切る方向に設け、かつ、蓋部を折り曲げ可能にすべく蓋部を構成する側壁部に切り欠き部を形成することにしている。
【発明の効果】
【００１１】
本発明のリフィル容器は、蓋部に当該蓋部を横切る方向に、化粧料が露出された露出面に向けて凸となる折り目部を備えると共に当該折り目部の両端近くの側壁部に蓋部を折り曲げ可能にする切れ込み部を備えているので、蓋部の両端を持ち上げると、折り目部で蓋部がＶ字状に折り曲げられる。このとき、折り目部近くの蓋部が中皿の縁を押し下げるように力が働き、蓋部と中皿の係合が解かれる。このように、本発明のリフィル容器を用いると、中皿を直接指で持つことなく中皿のみを取り出すことができる。
【図面の簡単な説明】
【００１２】
【図１】図１は本発明の一実施形態であるリフィル容器の斜視図である。
【図２】図２は図１のリフィル容器の側面図である。
【図３】図３は図１のリフィル容器の平面図である。
【図４】図４は図１のリフィル容器の断面図である。
【図５】図５は図１のリフィル容器を裏面から見た斜視図である。
【図６】図６は図１のリフィル容器の使用方法を示す説明図である。
【図７】図７は本発明の他の実施形態であるリフィル容器の断面図である。
【図８】図８は本発明の他の実施形態であるリフィル容器の平面図である。
【図９】図９は図８のリフィル容器の断面図である。
【図１０】図１０は図８のリフィル容器の斜視図である。
【図１１】図１１は本発明の他の実施形態であるリフィル容器の斜視図である。
【図１２】図１２は図１０のリフィル容器の断面図である。
【図１３】図１３は本発明の他の実施形態であるリフィル容器の斜視図である。
【図１４】図１４は本発明の他の実施形態であるリフィル容器を裏面から見た斜視図である。
【図１５】図１５は本発明の他の実施形態であるリフィル容器の平面図である。
【図１６】図１６は図１５のリフィル容器の断面図である。
【発明を実施するための形態】
【００１３】
本発明のリフィル容器は、化粧料が充填された中皿の側面を取り囲む側壁部と、化粧料が露出した露出面を覆う蓋部とによって中皿を収納する収納部が構成されたリフィル容器であって、前記蓋部に前記露出面に向けて凸となる折り目部が当該蓋部を横切る方向に備えられる。また、側壁部には前記折り目部の両端近くに前記蓋部を折り曲げ可能にする切れ込み部が備えられている。折り目部は、例えば断面略Ｕ字形状をした溝から構成される。また、前記蓋部に、蓋部の両端からそのほぼ中央部に向けて傾斜する側面視で略三角形状の断面を有する凸状部からなる一対の指当て部を対向させて設け、当該一対の指当て部によって形成された谷から構成される。
【００１４】
本発明のリフィル容器は、例えば、前記側壁部の上端に、前記折り目部の配置方向とほぼ直交する方向に延設された板状部からなる一対の指当て部を備える場合がある。また、別な実施形態では、前記折り目部の配置方向とほぼ直交する側壁部の側面に、前記折り目部の配置方向とほぼ直交する方向に指を押し当てることができる窪みからなる一対の指当て部を備える場合がある。さらに別な実施形態では、前記蓋部の両端部近傍に、前記折り目部の配置方向とほぼ直交する方向に指を押し当てることができる突起物からなる指当て部を備える場合がある。また、さらに別な実施形態では、前記蓋部の端から当該蓋部のほぼ中央に向けて傾斜する略三角形状の断面を有する凸状部からなる一対の指当て部が対向して設けられる。このような指当て部を備えたリフィル容器では、指当て部を介して蓋部に力を加えやすくなり、取り扱いがより一層容易になる。また、取り出しの際には、指当て部がない場合に比べて、中皿に加わる負荷が和らげられるので、中皿に充填された化粧料への影響がより少なくなる。
【００１５】
本発明のリフィル容器は、側壁部の外周に、当該側壁部と一体となって断面略Ｕ字状を形成する緩衝壁部が前記側壁部の下縁から上方に向けて備えられる場合もある。この場合にも、緩衝壁部には、側壁部と同様に、前記折り目部の両端近くにおいて蓋部を折り曲げ可能にする切れ込み部が備えられる。
【００１６】
以下、図面を参照しながら本発明について詳細に説明する。なお、本発明は下記の実施例に限定されることがないのは言うまでもない。
【実施例１】
【００１７】
図１は本発明の一実施形態であるリフィル容器１の斜視図、図２はその側面図、図３はその平面図、図４はその断面図、図５は図１のリフィル容器１を裏面から見た斜視図である。
【００１８】
リフィル容器１は、中皿２に充填された化粧料が露出した露出面３を覆う蓋部１０と、中皿２の側面２ａを覆う側壁部２０を有している。当該蓋部１０と当該側壁部２０が中皿２を収納する収納部４０を形成している。側壁部２０の周囲には、側壁部２０と一体となって断面略Ｕ字状を形成する緩衝壁部３０が、側壁部２０の下縁から上方に向けて形成されている。緩衝壁部３０は、外部から加えられる衝撃を和らげる。
【００１９】
蓋部１０は、中皿２を収納した際に中皿２の縁が当たる蓋周縁部１１と、化粧料の露出面３に対向して位置する蓋対向部１２を有する。蓋周縁部１１と蓋対向部１２との間には段差部１３が形成され、蓋対向部１２が蓋周縁部１１よりも一段高くなった構造をしている。このために、蓋部１０と化粧料の露出面３が接触する可能性がない。
【００２０】
蓋部１０は、蓋部１０の長手方向のほぼ中央に、蓋部１０の短手方向に蓋部１０を横切る折り目部１４を有している。この折り目部１４は露出面３に向けて凸となる断面Ｕ字状の溝１４ａからなり、蓋対向部１２を端から端まで横切るように形成されている。折り目部１４の下端は段差部１３のほぼ中程の高さに位置し、蓋部１０（折り目部１４）が折り曲げられた際に、折り曲げられた蓋部１０が化粧料の露出面３に接触しないように形成されている。折り目部１４は蓋対向部１２を端から端まで横切らず、蓋対向部１２の一部に設けてもよいが、好ましくは蓋対向部１２を完全に横切るのが好ましい。蓋部１０をより折り曲げやすいからである。
【００２１】
側壁部２０には、折り目部１４の両端近くに側面視で略逆Ｖ字形状をした切れ込み部２１が形成されている。また、緩衝壁部３０にも折り目部１４の両端近くに側面視で略逆Ｖ字形状をした切れ込み部３１が形成されている。折り目部１４の端側からリフィル容器１の側面を見た場合には、それぞれ、側壁部２０の切れ込み部２１と緩衝壁部３０の切れ込み部３１はほぼ重なる位置に形成されている。切れ込み部２１によって形成された側壁部２０の左右２つの縁と切れ込み部３１によって形成された緩衝壁部３０の左右の縁は、左右それぞれ曲面となった連結部３２で連結されている。これらの切れ込み部２１，切れ込み部３１は、折り目部１４において蓋部１０を折り曲げ可能にするものである。従って、当該機能を発揮する限りにおいて、切れ込み部２１,切れ込み部３１の形状は問われず、単に切断しただけの構造としてもよい。連結部３２も必須の構成ではない。また、切れ込み部２１や切れ込み部３１は小さい幅のものでよく、特許文献１や特許文献２に開示されたリフィル容器とは異なり、指で中皿２をつまめない幅の切れ込みで差し使えない。
【００２２】
側壁部２０の内側には収納部４０に向けて突出した係合突起２２が４箇所に設けられている。係合突起２２は中皿２の底を支え、中皿２が収納部４０内から脱落するのを防止する。もっともこの係合突起２２は必須のものではなく、側壁部２０の内周を中皿２の外周よりもやや小さくすることにより、側壁部２０の全周で中皿２を保持する構造としてもよい。
【００２３】
リフィル容器１は、ポリプロピレンやポリエチレン、ポリエチレンテレフタレートなどの各種プラスチック材料など弾性変形可能な素材から一体成型される。一体成型には、例えば真空成型法や射出成型法などが用いられる。このような弾性変形可能な素材から作製されたリフィル容器１は、中皿２との係合を良好なものとする。また、弾性力が強くゴムのような弾性体も用いることができるが、弾性力が強いものよりは、蓋部１０の折り曲げが容易である降伏点が小さい素材が好ましく用いられる。弾性力が強い場合には、蓋部１０の折り曲げに大きな力が必要となり、中皿２の取り外しに苦労するからである。
【００２４】
リフィル容器１への中皿２の収納は、これまでのリフィル容器１とほぼ同じである。つまり、化粧料を中皿２に充填し、露出面３を上にした状態でリフィル容器１を中皿２の上方から被せる。中皿２の取り出しの際には、折り目部１４を挟む位置にある側壁部２０両側の下の縁を上方から、例えば片手の指、例えば親指と人差し指で挟む。そして、図６に示すように、両側の側壁部２０の下の縁を持ち上げるように両方の指に力を加え、折り目部１４にて蓋部１０を折り曲げるようにする。そうすると、折り目部１４の近傍にある蓋周縁部１１が中皿２の縁の上端を下に押す方向に力が働く。こうして、係合突起２２における係合が解かれて、中皿２がリフィル容器１から取り出される。また、片手ではなく両手を使って中皿２を取り出すこともできる。例えば、両方の親指で蓋部１０の両端部をそれぞれ押さえるようにしながら、人差し指で側壁部２０の下の縁をそれぞれ持ち上げる。そうすると、片手で取り出す場合と同じく折り目部１４の近傍にある蓋周縁部１１が中皿２の縁の上端を下方に押す方向に力が働き、係合突起２２における係合が解かれる。
【００２５】
このように本発明のリフィル容器１を用いた場合には、中皿２を直接指で持つことなく中皿２を取り出すことができる。また、てこの原理を利用しているので、比較的小さな力でも中皿２を取り出すことができるので、指先の力が弱い人であっても苦労することなく取り出せる。それだけでなく、取り外す際に中皿２に強い力が掛からないので、中皿２に充填された化粧料に負荷が掛からず、製造時の状態に近い状態を維持できる。この結果、コンパクト使用時における落下から受ける悪影響を少なくできる。このような観点から、本発明では折り目部１４をリフィル容器１の長手方向の中央近傍に設けるなど、てこの原理を最大限利用できる位置に折り目部１４を設けるのが好ましい。
【実施例２】
【００２６】
図７は本発明の別な実施形態であるリフィル容器１の断面図である。このリフィル容器１は実施例１のリフィル容器１とほぼ同様な構成を有しているが、折り目部１４の配置方向とほぼ直交する緩衝壁部３０の側面に一対の指当て部５０が設けられている点で異なっている。指当て部５０は、折り目部１４の配置方向とほぼ直交する方向に指を押し当て可能な窪みからなる。この指当て部５０に指がフィットする結果、取り出し作業が行いやすくなる。また、取り出し操作における指をあてがう目印ともなる。
【実施例３】
【００２７】
図８は本発明のさらに別な実施形態であるリフィル容器１の平面図、図９は当該リフィル容器１の断面図、図１０は当該リフィル容器１の斜視図である。このリフィル容器１では、実施例１のリフィル容器１において、緩衝壁部３０の上端から外周側に、折り目部１４の配置方向とほぼ直交して延設された板状部材からなる一対の指当て部５１を有している。この指当て部５１は中皿２を取り外す際に、蓋部１０の両端を持ち上げやすくするための部材である。この指当て部５１を上に持ち上げることにより、蓋部１０を容易に折り曲げることができる。また、図示はしないが、板状部からなる指当て部５１を備えたリフィル容器１において、さらに実施例２に示される窪みからなる指当て部５０を緩衝壁部３０に設けてもよい。こうすると、両手での操作がより簡単に行える。板状部材からなる指当て部５１は蓋周縁部１１から外周側に備えても差し支えない。
【実施例４】
【００２８】
図１１は本発明のさらに別な実施形態であるリフィル容器１の概略斜視図、図１２は当該リフィル容器１の断面図である。このリフィル容器１は、実施例１のリフィル容器１において蓋部１０の両端部近傍に折り目部１４で左右対称となる一対の指当て部５２を有している。この指当て部５２も中皿２を取り出しやすくするための部材である。各指当て部５２は蓋部１０の端から当該蓋部１０のほぼ中央に向けて傾斜する側面視で略三角形状の断面を有する中空状の凸状部からなり、一対の指当て部５２全体として断面略Ｍ字形状をしている。一対の指当て部５２は蓋対向部１２の全体に形成されているものではなく、折り目部１４の配置方向において蓋対向部１２の両端部を残し、蓋対向部１２の中央部分にのみ形成されている。
【００２９】
また、各指当て部５２は折り目部１４の配置方向と直交する方向においては、蓋対向部１２よりも大きく形成され、側壁部２０の外周側に飛び出して形成されている。そして、側壁部２０の外周側への飛び出しに合わせて、収納部４０を形成する側壁部２０も外周側に飛び出して形成されている。そして、それに合わせて緩衝壁部３０も外周側に飛び出して形成されている。この結果、蓋部１０の両端にある指当て部５２が形成された部分では、中皿２を収納した際には、側壁部２０と中皿２の側壁の間に空間２４が形成される。しかしながら、収納部４０の４隅が中皿２に当接される構造であるので、中皿２を強固に保持する点には変わりがない。また、図示するリフィル容器１では、収納部４０の４隅の近傍には係合突起２２が形成されており、中皿２の保持性が高められているので、空間が保持性に与える影響は少ない。
【００３０】
このリフィル容器１では、対向する一対の前記指当て部５２によって形成された谷１４ｂが折り目部１４の一部となり、この谷１４ｂと指当て部５２が形成されていない蓋対向部１２に形成された断面略Ｕ字形状の溝１４ａとから折り目部１４が形成されている。つまり、一対の指当て部５２によって形成される谷１４ｂからなる折り目部１４の両側に、断面略Ｕ字形状の溝１４ａからなる折り目部１４が形成されている。
【００３１】
このリフィル容器１も上記の各実施例のリフィル容器１と何ら変わりなく使用できる。このリフィル容器１は、蓋部１０の両端において高くなった指当て部５２を有しているために、片手で摘みやすい構造となっている。この結果、中皿２を取り出しやすくなっている。なお、折り目部１４の全体を、一対の指当て部５２によって構成される谷１４ｂから構成することもできるが、本実施例のように谷１４ｂからなる折り目部１４の両側に断面略Ｕ字形状の溝１４ａからなる折り目部１４を設けた方が、折り目部１４全体を谷１４ｂから構成する場合に比べて、蓋部１０が確実に折り曲がる傾向にある。また、谷１４ｂからなる折り目部１４の両側に、断面略Ｕ字形状の溝１４ａからなる折り目部１４をほぼ均等に構成することにより、左右のバランスが崩れることなく蓋部１０が折り曲げられる。
【実施例５】
【００３２】
中皿２を取り出しやすくするための部材は、上記実施例以外にも種々の形状が考えられる。図１３はさらに別な実施形態であるリフィル容器１の概略斜視図である。このリフィル容器１は、蓋対向部１２の両端部に、ほぼ蓋対向部１２に対して直立した突起物からなる一対の指当て部５３を備える。各指当て部５３は、折り目部１４の配置方向とほぼ平行となった幅広の略柱状物であって、折り目部１４を中心にして左右対称に形成されている。各指当て部５３の外周側の側壁は内側に湾曲した湾曲部５３ａを有している。この指当て部５３を例えば片手の親指と人差し指で挟むことにより、中皿２を取り出せる。この実施例では湾曲部５３ａの存在により一対の指当て部５３を片手で摘みやすくなっている。湾曲部５３ａが指にフィットするからである。このような突起物から指当て部５３を構成することもできる。なお、湾曲部５３ａは必須の構成ではない。
【実施例６】
【００３３】
図１４は本発明のさらに別な実施形態であるリフィル容器１の斜視図である。このリフィル容器１には、図示するように底に切り欠き部２ｂが設けられた中皿２が用いられる。リフィル容器１の側壁部２０には、この切り欠き部２ｂに係合する係合突起２２が形成されている。このように、本発明は切り欠き部２ｂが形成され当該切り欠き部２ｂで中皿２を保持する構造を有するリフィル容器１にも適用することができる。本発明のリフィル容器１は、折り目部１４において折り曲げる構造となっているので中皿２との係合を外しやすく、このようなリフィル容器１においても指で中皿２を掴むことなく容易に中皿２のみを取り出せる。また、図示はしないが、特許文献１や２に記載された側面に切り欠き部を有する中皿にも適用できる。
【実施例７】
【００３４】
図１５は本発明のさらに別な実施形態であるリフィル容器１の平面図、図１６は当該リフィル容器１の断面図である。上記実施例においては、収納部４０を構成する側壁部２０の周囲に緩衝壁部３０を設けた場合について説明したが、本発明のリフィル容器１では、緩衝壁部３０は必須の要素ではない。例えば、図１５に示すリフィル容器１は緩衝壁部３０を有さず、側壁部２０は、その下端縁が外周側にやや幅を広げて形成された側壁周縁部２３を有している。そして、当該側壁周縁部２３に、折り目部１４と交差する方向に一対の板状部材からなる指当て部５４が外周側に延設されている。このリフィル容器１においても上記各実施例のリフィル容器１と同様に使用することができる。例えば、片方の手の親指と人差し指で指当て部５４を持ち上げるようにしてもよく、また、指当て部５４の下面を人差し指で支え、蓋対向部１２の両端を親指で下方に押し下げるようにすれば、折り目部１４で蓋部１０が折り曲がり、中皿２との係合を外すことができる。
【００３５】
なお、上記実施例ではいずれも、中皿２が平面視で長方形状であって、折り目部１４が蓋部１０の長手方向のほぼ中央に設けられたリフィル容器１について説明したが、折り目部１４は必ずしもこの位置に限られる訳ではない。本発明は、折り目部１４と中皿２の側壁２ｂの上端との接触点をいわば支点とする言わばてこの原理を利用したものである。従って、本発明においてはより小さな力で蓋部１０を折り曲げられるように折り目部１４を配置するのが好ましい実施形態であると言える。もっとも、例えば、蓋部１０の短手方向のほぼ中央において、中皿２の長手方向と平行に設けてもよいし、蓋部１０の対角方向に折り目部１４を設けることもできる。これらの場合には、上記板状部からなる指当て部５１を折り目部１４の配置方向とほぼ直交する方向に延設し、また、上記凸状部からなる指当て部５２や突起物からなる指当て部５３は前記折り目部１４の配置方向と直交する方向に力を加えられるように形成すればよい。また、本発明は、平面視で正方形状をした中皿２や平面視で円形若しくは楕円形状をした中皿２を収納するリフィル容器１についても同様に適用できるのは言うまでもない。
【産業上の利用可能性】
【００３６】
本発明によれば、中皿をつまみ出さずに中皿のみを取り出すことができるリフィル容器が提供される。これにより、コンパクトなどの化粧品が使用者にとってより使いやすいものとなる。
【符号の説明】
【００３７】
１  リフィル容器
２  中皿
３  露出した化粧面
１０  蓋部
１２  蓋対向部
１３  段差部
１４ａ  折り目部である断面Ｕ字形状の溝
１４ｂ  折り目部である谷
２０  側壁部
２２  係合突起
２３  側壁部にある幅広の側壁周縁部
３０  緩衝壁部
３１  緩衝壁部の切れ込み部
３２  側壁部と緩衝壁部の連結部
４０  収納部
５０  窪みからなる指当て部
５１  板状部材からなる指当て部
５２  断面が略三角形状を有する凸状部からなる指当て部
５３  突起物からなる指当て部
【図１】
2010273864.tif 000003
【図２】
2010273864.tif 000004
【図３】
2010273864.tif 000005
【図４】
2010273864.tif 000006
【図５】
2010273864.tif 000007
【図６】
2010273864.tif 000008
【図７】
2010273864.tif 000009
【図８】
2010273864.tif 000010
【図９】
2010273864.tif 000011
【図１０】
2010273864.tif 000012
【図１１】
2010273864.tif 000013
【図１２】
2010273864.tif 000014
【図１３】
2010273864.tif 000015
【図１４】
2010273864.tif 000016
【図１５】
2010273864.tif 000017
【図１６】
2010273864.tif 000018